(57)【要約】  膨張する低温流体を使用済燃料プールに冠水状態の蒸発器／熱交換器中に流すことにより、外部電源を必要とせずに、使用済燃料プールおよびその隣接領域の冷却に使用されるさまざまな構成機器を駆動し、使用済原子燃料プールに補給水を供給するように構成された使用済原子燃料プール緊急冷却システム。低温流体が接続された蒸発器／熱交換器を除く、プールおよびその周囲領域の冷却および補給水の供給に使用するその他の構成機器は、比較的小型で運搬が容易なスキッドに収納できる。【選択図】図１
2018534555.tif 000002
【特許請求の範囲】
【請求項１】
使用済原子燃料プール緊急冷却システム（１０）であって、
概して平面状に延びる内部流路を有し、使用済燃料プール（２２）の壁（２４）に実質的に垂直に取り付けられた蒸発器／熱交換器（１２）、
当該蒸発器／熱交換器（１２）の第１の側部を当該使用済燃料プール（２２）の当該壁（２４）に接続する蝶番付き支持手段（２０）であって、当該蒸発器／熱交換器を当該壁から離れる方向へ旋回させて、当該使用済燃料プールの冷却材中へ移動させることにより、当該第１の側部とは反対側の当該蒸発器／熱交換器の第２の側部を当該使用済燃料プールの当該壁から側方に離隔させるように構成された蝶番付き支持手段、
当該壁（２４）と当該蒸発器／熱交換器（１２）の当該第２の側部とを接続することにより、当該熱交換器を実質的に垂直な位置に保つ可融性リンクアクチュエータ（１８）であって、当該可融性リンクアクチュエータは当該使用済燃料プール（２２）の環境要素が所定のレベルへ所定の変化をするのに応答して、当該蒸発器／熱交換器の当該第２の側部が当該使用済燃料プールの当該壁から側方に離隔する位置へ当該蒸発器／熱交換器を移動させることを特徴とする可融性リンクアクチュエータ、
当該内部流路に流体接続された低温流体の供給手段、
当該低温流体を貯蔵するための低温貯蔵容器（２８）、および
当該蒸発器／熱交換器（１２）が当該第２の側部が実質的に当該使用済燃料プール（２２）の当該壁（２４）から所定の程度側方に離隔する当該位置に到達するまで、当該低温流体が当該低温貯蔵容器（２８）から当該内部流路へ流入しないようにする、受動的に作動する弁（５２）
から成る使用済原子燃料プール緊急冷却システム。
【請求項２】
前記蒸発器／熱交換器（１２）の前記第２の側部が前記使用済燃料プール（２２）の前記壁（２４）から側方に離隔する前記位置に来ると、前記蒸発器／熱交換器が実質的に水平になり、前記蒸発器／熱交換器が前記使用済燃料プールの前記冷却材の中で確実に冠水することを特徴とする、請求項１の使用済原子燃料プール緊急冷却システム（１０）。
【請求項３】
前記蒸発器／熱交換器（１２）が実質的に、前記蒸発器／熱交換器の前記第２の側部が前記使用済燃料プール（２２）の前記壁（２４）から側方に離隔する前記位置にあるとき、自動弁（５２）は、開位置にあって、前記低温流体が前記内部流路を通って膨張し、熱を吸収し、圧縮ガスとして前記内部流路から流出することを特徴とする、請求項１の使用済原子燃料プール緊急冷却システム（１０）。
【請求項４】
前記圧縮ガスがガス駆動の機械式ポンプ（３２）に接続されている、請求項３の使用済原子燃料プール緊急冷却システム（１０）。
【請求項５】
前記ガス駆動の機械式ポンプ（３２）が前記使用済燃料プール（２２）に補給水を供給する、請求項４の使用済原子燃料プール緊急冷却システム（１０）。
【請求項６】
前記ガス駆動の機械式ポンプ（３２）が空気駆動式ダブルダイアフラムポンプ（３０）である、請求項４の使用済原子燃料プール緊急冷却システム（１０）。
【請求項７】
前記圧縮ガスが圧縮ガスタービン発電機（４０）に接続されている、請求項３の使用済原子燃料プール緊急冷却システム（１０）。
【請求項８】
前記圧縮ガスタービン発電機（４０）が空気冷却系（４８）を駆動する、請求項７の使用済原子燃料プール緊急冷却システム（１０）。
【請求項９】
前記圧縮ガスタービン発電機（４０）が電動ポンプ（４２）に給電する、請求項７の使用済原子燃料プール緊急冷却システム（１０）。
【請求項１０】
前記電動ポンプ（４２）が前記使用済燃料プール（２２）に補給水（４６）を供給する、請求項９の使用済原子燃料プール緊急冷却システム（１０）。
【請求項１１】
前記内部流路を出る前記圧縮ガスが前記圧縮ガスタービン発電機（４０）を駆動したのちガス対空気熱交換器（４４）を流れて熱伝達が行われる、請求項８の使用済原子燃料プール緊急冷却システム（１０）。
【請求項１２】
前記蒸発器／熱交換器（１２）を除く、前記緊急冷却システムの実装に必要な実質的にすべての複数の構成機器および計装が、既存プラントの設備更新のため新設が可能で運搬が容易なスキッド（５０）の上に取り付けられている、請求項１の使用済原子燃料プール緊急冷却システム（１０）。
【請求項１３】
前記蒸発器／熱交換器（１２）は前記内部流路の入口（１４）と出口（１６）とを有し、前記内部流路は当該入口と当該出口との間を蛇行することを特徴とする、請求項１の使用済原子燃料プール緊急冷却システム（１０）。
【請求項１４】
前記蒸発器／熱交換器（１２）が前記使用済燃料プール（２２）の前記壁（２４）に実質的に直立する状態で取り付けられている、請求項１の使用済原子燃料プール緊急冷却システム（１０）。
【請求項１５】
前記低温流体が窒素または窒素混合物である、請求項１の使用済原子燃料プール緊急冷却システム（１０）。
【発明の詳細な説明】
【技術分野】
【０００１】
本発明は、概して使用済原子燃料プールに関し、具体的には、使用済原子燃料プールの安全を保つための緊急冷却システムに関する。
【背景技術】
【０００２】
加圧水型原子炉は、通常１８カ月のサイクルで燃料交換を行う。燃料交換の際、炉心内の照射済燃料集合体の一部が取り出され、補充される新しい燃料集合体が炉心のそこここに再配置される。取り出された使用済燃料集合体は、通常、放射性燃料集合体が貯蔵される使用済燃料プールを備えた別の建屋へ水面下で運ばれる。使用済燃料プールは、放射線を遮蔽により許容可能なレベルに引き下げるに十分な水深があり、プール内の対流冷却と再循環によって、燃料集合体内の燃料棒の温度は放射性燃料物質および核分裂生成物を密封収納する燃料棒の被覆を破損する値以下に抑えられる。冷却は少なくとも、燃料集合体内の崩壊熱が下がって、当該集合体の温度と放射線放出が乾式貯蔵のために受け入れ可能なレベルへ低下するまで継続される。それまでの間、使用済燃料プールの水は、冷却材の一部を熱交換器へ圧送して熱を抽出することにより、能動的に冷却される。
【０００３】
現在の原子力発電所には、使用済燃料の冷却を効果的に管理するための確立したシステムがある。しかし、全交流電源喪失や最終ヒートシンク喪失事象などの或る特定の緊急事態が起きると、使用済燃料プールの冷却プロセスが破綻する可能性がある。その結果、使用済燃料プールインベントリの温度が極度に上昇して蒸気が発生し、放射性エアロゾルが周囲の大気中へ放出される可能性がある。放射性エアロゾルが高濃度となり、空気が過熱状態になると、建屋へのアクセスが制限され、緊急時の対応が一層妨げられる可能性がある。日本の福島第一原子力発電所で起きたような、あらゆる合理的な予想を超える破滅的な津波がプラントシステムを襲い、冷却またはインベントリの補給が数日間途絶えるような想定外の事象が起きると、使用済燃料プールの水が大量に蒸発してプールが干上がり、崩壊熱をヒートシンクへ逃がすことができなくなって、燃料損傷のリスクが発生するおそれがある。
【０００４】
現在、多くの既存のプラントの使用済燃料プールの最上部には、外部水源からの水を散布してプール内へ水を補充するスプレー系が組み込まれている。しかし、スプレー系にこの動作を行わせるには、電源および手動による始動を要するポンプが必要である。
【０００５】
したがって、本発明の目的は、外部電源を必要としないバックアップ用使用済燃料プール冷却システムを提供することである。
【０００６】
本発明のさらなる目的は、事前に選択した事象が発生すると直ちに、受動的に使用済燃料プールの冷却を開始するかかる冷却システムを提供することである。
【０００７】
本発明のさらなる目的は、比較的安価で実装が容易なかかる冷却システムを提供することである。
【０００８】
本発明のさらなる目的は、不使用時に燃料プールの通常運転を妨げることのないかかる冷却システムを提供することである。
【発明の概要】
【０００９】
上記および他の目的は、概して平面状に延びる内部流路を有し、使用済燃料プールの壁に実質的に垂直に取り付けられた蒸発器／熱交換器を用いる使用済原子燃料プール緊急冷却システムによって達成される。当該蒸発器／熱交換器は、第１の側部を蝶番付き支持手段により当該使用済燃料プールの当該壁に接続されている。当該蝶番付き支持手段は、当該蒸発器／熱交換器を当該壁から離れる方向に旋回させて当該使用済燃料プールの中の、当該第１の側部とは反対側の当該蒸発器／熱交換器の第２の側部が当該使用済燃料プールの当該壁から側方に離隔する位置へ移動させるように構成されている。当該壁と当該蒸発器／熱交換器の当該第２の側部との間には、当該熱交換器を実質的に垂直な位置に保持するための感温可融性リンクが接続されている。当該可融性リンクは、当該使用済燃料プールの環境要素の所定のレベルへの所定の変化に応答して、当該蒸発器／熱交換器を当該第２の側部が当該使用済燃料プールの当該壁から側方に離隔する当該位置へ移動させる。低温流体を含むデュアーまたは低温液体配管が自動弁を介して当該内部流路に流体接続されているが、当該自動弁は、当該蒸発器／熱交換器の当該第２の側部が実質的に当該使用済燃料プールの当該壁から側方に離隔する当該位置に到達するまで、当該デュアー／低温液体配管からの当該低温流体を当該内部流路に流入させない。
【００１０】
当該蒸発器／熱交換器は、当該第２の側部が当該使用済燃料プールの当該壁から側方に離隔する当該位置へ移動すると、実質的に水平になり、当該使用済燃料プールの水に接触するのが好ましい。当該蒸発器／熱交換器が当該使用済燃料プールの当該壁から側方に離隔すると、当該自動弁が開いて、当該低温流体が当該使用済燃料プールから熱を吸収できるようになり、当該内部流路を通って膨張し、低温圧縮ガス流体として当該内部流路から流出する。一実施態様において、当該低温圧縮ガス流体は、当該使用済燃料プールへの補給水の受動的供給に使用可能なガス駆動式ダブルダイアフラムポンプなどのガス駆動機械式ポンプに接続される。
【００１１】
別の実施態様において、当該低温圧縮ガス流体は、空気冷却系を支援するための発電に使用可能な圧縮ガスタービン発電機に接続される。当該内部流路から出る当該低温圧縮ガス流体は、当該圧縮ガスタービン発電機を駆動したのち、ガス対空気熱交換器を流れて、周囲空気から熱を吸収する。当該蒸発器／熱交換器の入口と流体連通する逆止弁により、当該低温圧縮ガス流体が当該デュアー内へ逆流しないようにするのが好ましい。さらに、当該内部流路を圧力調整弁および／または圧力緩衝装置と流体連通させて、当該内部流路の低温ガス流体の圧力を調整するようにしてもよい。
【００１２】
当該蒸発器／熱交換器を除く、当該緊急冷却システムの実装に必要な実質的にすべての複数の構成機器および計装を、既存プラントの設備更新のため新設が可能で運搬が容易なスキッドの上に取り付けることが望ましい。一実施態様において、当該低温ガス流体は窒素である。別の実施態様において、当該低温ガス流体は、呼吸に適した合成空気（窒素と酸素の混合物）または他の不活性流体である。
【００１３】
当該蒸発器／熱交換器は当該内部流路への入口および出口を有し、当該内部流路は、当該入口と当該出口との間を望ましくは単一の平面内で蛇行するのが好ましい。この熱交換器配管は、当該低温流体を急速に気化させるに十分な大きさの熱交換面積があれば別の形状でもよい。別の実施態様において、当該熱交換器は、熱伝達を促進するものとして、フィン付き細管を含む任意の形状または形態でよい。さらに別の実施態様において、当該蒸発器／熱交換器は、当該使用済燃料プールの当該壁に実質的に垂直上方に延びるように取り付けられ、可融性リンクが解除されると重力によって当該壁から離れる方向に移動する。
【図面の簡単な説明】
【００１４】
本発明の詳細を、好ましい実施態様を例にとり、添付の図面を参照して以下に説明する。
【００１５】
【図１】使用済燃料プールの壁に取り付けられた本発明の蒸発器／熱交換器の一実施態様を示す概略図である。
【００１６】
【図２Ａ】図１の蒸発器／熱交換器が、使用済燃料プールの壁に蝶番で取り付けられ、使用済燃料プールの上方の手すりに、温度、放射線レベルなどの使用済燃料プールの環境要素に反応するラッチにより、垂直に係止された、使用済燃料プールの概略断面図である。
【００１７】
【図２Ｂ】図２Ａのラッチの作動開始状態を示す概略断面図である。
【００１８】
【図２Ｃ】図２Ａおよび２Ｂの蒸発器／熱交換器が完全に作動して使用済燃料プール内で冠水した状態を示す概略断面図である。
【００１９】
【図３】使用済燃料プールへ補給水を圧送するガス駆動式ダブルダイアフラムポンプを用いる本発明の一実施態様の概略図である。
【００２０】
【図４】発電のためにタービン発電機を使用する本発明の別の実施態様の概略図である。
【００２１】
【図５】水冷と冷房をともに行う本発明の第３の実施態様の概略図である。
【発明を実施するための形態】
【００２２】
本発明は、全交流電源喪失時、使用済燃料プール内の使用済原子燃料集合体からの崩壊熱を、加熱される低温流体の自然膨張力を利用して緩和できるようにするシステムを提供する。この文脈における「低温流体」という用語は、沸点が室温および使用済燃料プールの通常の動作温度より実質的に低い任意の液状流体であって、本願で記述するシステム内で接触する物質との反応により化学組成が不都合に変化することのない流体を意味する。一実施態様では、低温窒素を水冷と空冷に使用し、さらに膨張したガスにより補給水ポンプを駆動して使用済燃料プールの水を補給し、および／または空冷装置へ電源を供給する。この思想を実現する３つの異なる実施態様を以下に記述する。このうち２つは使用済燃料プールの冷却のみ、３つめは空冷を含むものである。第１の実施態様は、膨張した低温窒素ガスにより圧縮ガスタービン発電機を駆動させて、電動式補給水ポンプの電源とする。第２の実施態様は、膨張した窒素ガスによりガス駆動式ダブルダイアフラムポンプを作動させて、使用済燃料プール内の減った水を補給する。第３の実施態様は、膨張したガスにより、ガス駆動式ダブルダイアフラムポンプを作動させて補給水を供給することに加え、送風機を駆動させて冷房を行う。これらの思想をそれぞれ図３、４、５に示す。
【００２３】
基礎知識として、窒素は華氏−３４６度から華氏−３２５度（摂氏−１９８度）の温度範囲で液体であり、典型的には、断熱性の高い容器であるデュアーの中に貯蔵される。それは容易に入手できる市販の商品であり、高価ではない。本発明に基づくシステムは、図３、４、５に示すようなサイト内貯蔵デュアー２８を含む。貯蔵デュアーに関する別の実施態様として、デュアーを外部供給源からの再供給および補充が可能な使用済燃料プール建屋の外にあるスキッド上に設置する。デュアーを建屋内のスキッド上に設置する選択肢を、参照符号２８で表す。デュアー２８は、低温液体を蒸発器／熱交換器へ運ぶ断熱性配管および弁によって蒸発器／熱交換器１２に接続されている。図３、５の参照符号３０で示すようなガス駆動式ダブルダイアフラムポンプは通常、圧縮ガス（典型的には空気）により機械的に作動される。しかしこの場合、ガス駆動式ダブルダイアフラムポンプは、急速に気化し加熱された低温空気または窒素などの低温不活性ガス流体によって駆動される。ガス駆動式ダブルダイアフラムポンプは、フレキシブルダイアフラムの往復動作とダイアフラムの両側にある弁との組み合わせを利用して流体を圧送する容積式ポンプである。一部のガス駆動式ダブルダイアフラムポンプは、低い揚程と低い流量で作動するが、高い流量が可能な他のタイプもある。ガス駆動式ダブルダイアフラムポンプのその他の利点として、空運転やスラリ―を含むさまざまな流体の圧送を行うことが挙げられる。ガス駆動式ダブルダイアフラムポンプは、最大９７パーセントの効率を実現できる。通常、そのようなポンプは、脈流を減らす、図３の参照符号３８で象徴的に示すパルス減衰器を備えている。ガス駆動式ダブルダイアフラムに代わる別の実施態様では、冷温の圧縮ガスによって駆動されるポンプを使用する。さらに別の実施態様では、タービンなどの、圧縮空気により駆動される発電機を使用する。ガス駆動式タービン発電機は普通の選択であるが、通常は、高温の燃焼ガスによって駆動される。低温ガス流体によって駆動されるそのようなシステムは、全交流電源喪失時に大きな価値を発揮する冗長で独立の発電システムとして、長期（窒素供給タンクのサイズによる）にわたり発電を行うことができる。
【００２４】
したがって、本発明は、外部電源や人の介入を必要とせずに使用済燃料プールの崩壊熱を長期にわたって緩和するために複数の機能を備えた使用済燃料プール緊急冷却システムを提示する。このシステムの主要構成機器は、低温流体貯蔵タンクもしくはデュアー、ガス駆動式ダイアフラムポンプ、および蒸発器／熱交換器である。蒸発器／熱交換器以外の構成機器および計装のほとんどは、比較的小さなスキッドの上に設置できる。このシステムはまた、大型の熱交換器を必要とせずに、使用済燃料プール領域の周囲空気を効果的に冷却する能力がある。このシステムに空間冷却のオプションを追加するためには、上述の構成機器のほかに、別の熱交換器（ガス対空気）および気送ファンもしくは排出装置（液体空気を使用する場合）が必要である。
【００２５】
図１に示す蒸発器／熱交換器１２の一実施態様は、使用済燃料プール領域における正規の動作を妨害または干渉しないように設計されている。この実施態様の蒸発器／熱交換器１２は、使用済燃料プールの壁２４に寄せて実質的に直立する状態に取り付けられており、事故シナリオ時に限り使用済燃料プール内の下降位置へ移動される。熱交換器１２は、図１に示すように平面上を蛇行するタイプが好ましく、入口１４と出口１６を有する。蒸発器／熱交換器１２は、蝶番付きブラケット２０によって使用済燃料プールの壁２４に取り付けられており、このブラケットを中心として下向きに旋回できる。上端部は、使用済燃料プールの一部を取り囲む手すりから延びる可融性リンクアクチュエータ１８を備えたラッチによって支持される。事故が起きると、蒸発器／熱交換器１２は、蝶番付きブラケット２０を中心として約９０度旋回できる。ブラケット２０は、蒸発器／熱交換器１２が実質的に９０度以上旋回しないようにするストッパーを有するのが好ましい。可融性ラッチ１８は、所定温度になると受動的に熱交換器を切り離すことにより、熱交換器パネルを重力によって水面上へ転倒させる感温作動装置であるのが好ましい。可融性リンクが受動的に作動される、とは、作動を引き起こすために操作員の介入や外部電源が不要ということである。ただし、蒸発器／熱交換器１２を使用済燃料プール内に展開させるために、および／または蒸発器／熱交換器内の細管への低温液体の供給を開始させるために、使用済燃料プールの環境要素に対して受動的に応答する他の可融性リンクを使用できることも理解されたい。例えば、使用済燃料プール内の冷却材が所定の水位に到達したとき蒸発器／熱交換器が展開されるように、可融性リンクを使用済燃料プール内の冷却材の水位に応答させるか、あるいは、使用済燃料プールの水位低下に伴って遮蔽が減少し放射線レベルが或る特定の変化を示すと、それに応答して可融性リンクを作動させることができる。このシステムは、蒸発器／熱交換器１２の上部を使用済燃料プールの側壁に蝶番により取付け、下部を可融性ラッチによってその壁に係止することにより、蒸発器／熱交換器１２を使用済燃料プールの壁２４に寄せた状態で冠水させるように設計することもできる。この後者の実施態様において、蝶番２０にばねを組み込むことにより、所定温度で可融性ラッチが作動すると蒸発器／熱交換器を上方に旋回させることができる。この後者の構成を最も確実に作動させるには、蒸発器／熱交換器と使用済燃料プール内の取付け具との間に十分な隙間が必要である。
【００２６】
図２Ａ、２Ｂ、２Ｃは、蒸発器／熱交換器１２の作動を示す。図２Ａの蒸発器／熱交換器１２は、使用済燃料プールの壁２４に隣接して支持された状態にあり、最上部と使用済燃料プールの縁の少なくとも一部を取り囲む手すり２６との間を延びる可融性ラッチ１８が蒸発器／熱交換器をその位置に保持する。図２Ｂは、可融性ラッチ１８が蒸発器／熱交換器１２の最上部を解放して、重力により下方に旋回できるようにする作動段階を示す。図２Ｃは、蒸発器／熱交換器が使用済燃料プールの中で冠水した冷却段階を示す。蒸発器／熱交換器１２が周囲の水を冷却すると、冷温の水がプールの底へ沈み、高温の水が熱交換器に向かって上昇する自然対流が発生する。このシステムは、蒸発器／熱交換器が使用済燃料プール内で完全に冠水すると、液体空気または液体窒素などの低温流体が蒸発器／熱交換器へ流入するように設計されている。液体空気または液体窒素は、蒸発器／熱交換器の細管内を流れ始めると、気化熱を奪って急速に気化する。蒸発器／熱交換器の入口にある逆止弁５２は、デュアーまたは低温貯蔵容器２８への圧縮ガスの逆流を防ぐ。また、蒸発器／熱交換器の圧力逃し弁５４は、蒸発器／熱交換器の細管内の圧力が設計圧力を超えないようにする。蒸発器／熱交換器内を流れるガスは顕熱も奪い、使用済燃料プールの表面領域を冷却する。使用済燃料プールの底にある温度が高めで密度が低めの水が上昇すると、冷却された水が代わりに底の方へ沈むため、プール内で自然対流による循環と冷却が始まる。
【００２７】
圧力調整弁５４により、高圧窒素ガスが蒸発器／熱交換器１２の出口１６から出易くなるが、このガスは、プラント内の貯蔵タンク３４、移動式給水車３６または使用済燃料プール建屋の外にある追加の補給水供給源から水を吸引する補給水ポンプ３２（図３、４、５）へ供給される。このガスを利用して補給水ポンプ３２を作動させる方法が２つある。第１の方法は、図３に示すように、圧縮ガスによりダブルダイアフラムポンプを駆動して、使用済燃料プールのスプレー系の給水を行う方法である。流量の振幅を平滑化するために脈流緩衝器３８を設ける。もう一つの方法は、図４に示すように、圧縮ガスにより小型のガスタービン発電機を駆動し、得られる電気で電動式ポンプ４２を作動させて、使用済燃料プールスプレー系に給水する方法である。なお、機械式ポンプをガスタービンの主軸に接続しても同様の結果が得られる。
【００２８】
図３の実施態様において、蒸発器／熱交換器１２から出るガスは、補給水タンク３４または給水車３６から水を吸引して使用済燃料プール補給ラインまたはスプレー系４６に給水するガス駆動式ダブルダイアフラムポンプ３０へ供給される。このポンプは、低揚程と低流量（毎分約３５ガロンと見積もられる）が要求されるが、これはガス駆動式ダブルダイアフラムポンプで実現可能である。ガス駆動式ダブルダイアフラムポンプは、比較的滑らかな流量を維持するために、脈流緩衝器３８を必要とすることがある。システムは全体として非常にコンパクトであり、蒸発器／熱交換器を除く、緊急冷却システムの実装に必要な実質的にすべての構成機器を、既存プラントの設備更新のため新設が可能で運搬が容易なスキッド５０の上に取り付けて、全交流電源喪失時または最終ヒートシンク喪失時の使用済燃料プールの過熱を緩和することができる。
【００２９】
図４に示す実施態様は、使用済燃料プール領域または他のプラント領域周辺の空気の冷却に有効な冷房能力がある。本実施態様では、蒸発器／熱交換器１２からの膨張ガスが空冷熱交換器４４に流入して、周囲空気から熱を除去する。図４に示すように、空冷式熱交換器４４を出る流れの一部が、空冷式熱交換器４４に取り付けられた気送ファン４８または排出装置（合成空気が流体の場合）に供給されるため、強制対流が起きて、空気と、冷温ガスを運ぶ空冷伝熱細管との間の熱伝達が増加する。気送ファンまたは排出装置による強制対流を利用すると、空冷式熱交換器４４を、自然対流だけを利用する典型的な空気冷却器より格段に小型化できる。この空間冷却器はコンパクトかつ効果的であり、外部電源なしに作動する。この冷房機能は、全交流電源喪失時または通常運転時に空冷を緊急且つ受動的に作動することが要求されるプラントの自立システムとして設計することもできる。この空間冷却器は、全交流電源喪失時、プール領域へのアクセスを一段と容易にして、要員が緊急時の他の作業を継続できるようにする。
【００３０】
本発明の特定の実施態様について詳しく説明したが、当業者は、本開示書全体の教示するところに照らして、これら詳述した実施態様に対する種々の変更および代替を想到できるであろう。したがって、ここに開示した特定の実施態様は説明目的だけのものであり、本発明の範囲を何らも制約せず、本発明の範囲は添付の特許請求の範囲に記載の全範囲およびその全ての均等物である。
【図１】
2018534555.tif 000003
【図２Ａ】
2018534555.tif 000004
【図２Ｂ】
2018534555.tif 000005
【図２Ｃ】
2018534555.tif 000006
【図３】
2018534555.tif 000007
【図４】
2018534555.tif 000008
【図５】
2018534555.tif 000009
【国際調査報告】
2018534555.tif 000010
2018534555.tif 000011